(57)【要約】【課題】画質調整パラメータの設定を簡単に行なうことができる画像読取装置を提供する。【解決手段】原稿の表面、裏面を読取る画像読取装置において、複数のパラメータで画像調整を行ない、それらを複数のサンプル（画質モニター）として出力する。表面、裏面それぞれで選択されたサンプルに対応するパラメータで、表面、裏面それぞれの画質調整が行なわれる。表面のパラメータと裏面のパラメータとの誤差が算出される。次回からは、表面のみの画像モニターを出力し、選択されたサンプルのパラメータで、表面の画質調整が行なわれる。裏面のパラメータは、表面のパラメータおよび算出された誤差に基づいて設定される。【選択図】図５
2009170958.tif 000002
【特許請求の範囲】
【請求項１】
原稿の両面を読取ることができる画像読取装置であって、
前記原稿の表面の読取画像の出力サンプル、および前記原稿の裏面の読取画像の出力サンプルを出力する第１の出力手段と、
前記出力された前記原稿の表面の読取画像の出力サンプル、および前記原稿の裏面の読取画像の出力サンプルに基づいて、表面と裏面との画質調整パラメータを設定する第１のパラメータ設定手段と、
前記設定された表面の画質調整パラメータと、裏面の画質調整パラメータとの誤差を算出する算出手段と、
前記算出手段で誤差が算出された後に、前記原稿の表面の読取画像の出力サンプル、および前記原稿の裏面の読取画像の出力サンプルのいずれか一方を出力する第２の出力手段と、
前記第２の出力手段で出力された出力サンプルに基づいて、前記原稿の表面および裏面のいずれか一方の画質調整パラメータを設定する第２のパラメータ設定手段と、
前記第２のパラメータ設定手段で設定された画質調整パラメータ、および前記算出手段で算出された誤差に基づいて、前記原稿の表面および裏面のいずれか他方の画質調整パラメータを設定する第３のパラメータ設定手段とを備えた、画像読取装置。
【請求項２】
前記第２の出力手段は、前記原稿の表面の読取画像の出力サンプルを出力し、
前記一方の画質調整パラメータは、表面の画質調整パラメータであり、
前記他方の画質調整パラメータは、裏面の画質調整パラメータである、請求項１に記載の画像読取装置。
【請求項３】
前記第３のパラメータ設定手段は、前記他方の画質調整パラメータが所定範囲を超える場合には、固定値を設定する、請求項１または２に記載の画像読取装置。
【請求項４】
前記第３のパラメータ設定手段は、
前記他方の画質調整パラメータが所定範囲を超える場合には、前記原稿の表面の読取画像の出力サンプル、および前記原稿の裏面の読取画像の出力サンプルのいずれか他方を出力する第３の出力手段を含み、
前記第３の出力手段で出力された出力サンプルに基づいて、前記原稿の表面および裏面のいずれか他方の画質調整パラメータを設定する、請求項１または２に記載の画像読取装置。
【請求項５】
原稿の両面を読取ることができる画像読取装置の制御方法であって、
前記原稿の表面の読取画像の出力サンプル、および前記原稿の裏面の読取画像の出力サンプルを出力する第１の出力ステップと、
前記出力された前記原稿の表面の読取画像の出力サンプル、および前記原稿の裏面の読取画像の出力サンプルに基づいて、表面と裏面との画質調整パラメータを設定する第１のパラメータ設定ステップと、
前記設定された表面の画質調整パラメータと、裏面の画質調整パラメータとの誤差を算出する算出ステップと、
前記算出ステップで誤差が算出された後に、前記原稿の表面の読取画像の出力サンプル、および前記原稿の裏面の読取画像の出力サンプルのいずれか一方を出力する第２の出力ステップと、
前記第２の出力ステップで出力された出力サンプルに基づいて、前記原稿の表面および裏面のいずれか一方の画質調整パラメータを設定する第２のパラメータ設定ステップと、
前記第２のパラメータ設定ステップで設定された画質調整パラメータ、および前記算出ステップで算出された誤差に基づいて、前記原稿の表面および裏面のいずれか他方の画質調整パラメータを設定する第３のパラメータ設定ステップとを備えた、画像読取装置の制御方法。
【請求項６】
原稿の両面を読取ることができる画像読取装置の制御プログラムであって、
前記原稿の表面の読取画像の出力サンプル、および前記原稿の裏面の読取画像の出力サンプルを出力する第１の出力ステップと、
前記出力された前記原稿の表面の読取画像の出力サンプル、および前記原稿の裏面の読取画像の出力サンプルに基づいて、表面と裏面との画質調整パラメータを設定する第１のパラメータ設定ステップと、
前記設定された表面の画質調整パラメータと、裏面の画質調整パラメータとの誤差を算出する算出ステップと、
前記算出ステップで誤差が算出された後に、前記原稿の表面の読取画像の出力サンプル、および前記原稿の裏面の読取画像の出力サンプルのいずれか一方を出力する第２の出力ステップと、
前記第２の出力ステップで出力された出力サンプルに基づいて、前記原稿の表面および裏面のいずれか一方の画質調整パラメータを設定する第２のパラメータ設定ステップと、
前記第２のパラメータ設定ステップで設定された画質調整パラメータ、および前記算出ステップで算出された誤差に基づいて、前記原稿の表面および裏面のいずれか他方の画質調整パラメータを設定する第３のパラメータ設定ステップとをコンピュータに実行させる、画像読取装置の制御プログラム。
【発明の詳細な説明】
【技術分野】
【０００１】
この発明は、画像読取装置、画像読取装置の制御方法、および画像読取装置の制御プログラムに関し、特に、両面原稿の表面と裏面とを読込むことが可能な画像読取装置、画像読取装置の制御方法、および画像読取装置の制御プログラムに関する。
【背景技術】
【０００２】
電子写真式の画像形成装置（ＭＦＰ（Ｍｕｌｔｉ  Ｆｕｎｃｔｉｏｎ  Ｐｅｒｉｐｈｅｒａｌ）、ファクシミリ装置、複写機など）には、両面原稿の表面と裏面とを読込むことが可能な読取部を備えたものがある。また、両面原稿の表面と裏面とのそれぞれの面を読取る２つのセンサを用いることで、１回の通紙で原稿両面の画像を読取る１パス両面読取りスキャナを搭載した画像形成装置が知られている。
【０００３】
下記特許文献１には、入力データに従い表面を読取る時の読取り条件を設定するとともに、その条件を加工して、裏面を読取る時の読取り条件を取得する両面スキャナが開示されている。
【０００４】
下記特許文献２には、２つのイメージセンサによって原稿の両面画像データを一の動作で読取る画像処理装置において、所定の基準画像データに基づいて一方のイメージセンサにより読取られた画像データの画質補正を行なう技術が開示されている。この補正画像データに基づいて、他方のイメージセンサにより読取られた画像データの画質補正が行なわれる。これにより、表裏面の読取画像データ間に生じる画質差だけでなく、原稿画像データとの画質差が低減される。
【特許文献１】特開平７−１７７３０８号公報
【特許文献２】特開２００５−２０２２４号公報
【発明の開示】
【発明が解決しようとする課題】
【０００５】
１パス両面読取りスキャナ搭載の画像形成装置において、表面と裏面とでセンサの読取り特性が異なる場合が考えられる。このような場合に画質モニターを使用することで、表面と裏面とのそれぞれにおいて、画質調整パラメータを設定することが考えられる。
【０００６】
「画質モニター」を用いた画質調整パラメータの設定は、以下のような手順で行われる。
【０００７】
（１）  スキャナで原稿の表および裏の画像を読取る。
【０００８】
（２）  画質調整パラメータを変えて様々な濃度とした表面の画像サンプルを、１枚の用紙に並べて印字する。その中から、ユーザに最も好ましいものを選択させる（表面の画質調整パラメータの設定）。
【０００９】
（３）  画質調整パラメータを変えて様々な濃度とした裏面の画像サンプルを、１枚の用紙に並べて印字する。その中から、ユーザに最も好ましいものを選択させる（裏面の画質調整パラメータの設定）。
【００１０】
このように表面と裏面とで画質モニターを用いて画質調整パラメータを設定する場合には、表面のみの場合と比べて調整時間がかかる為、作業効率が悪化するという問題があった。
【００１１】
この発明はそのような問題点を解決するためになされたものであり、両面原稿の表面と裏面とを読込むことが可能な画像読取装置において、画質調整パラメータの設定を簡単に行なうことができる画像読取装置、画像読取装置の制御方法、および画像読取装置の制御プログラムを提供することを目的としている。
【課題を解決するための手段】
【００１２】
上記目的を達成するためこの発明のある局面に従うと、画像読取装置は、原稿の両面を読取ることができる画像読取装置であって、原稿の表面の読取画像の出力サンプル、および原稿の裏面の読取画像の出力サンプルを出力する第１の出力手段と、出力された原稿の表面の読取画像の出力サンプル、および原稿の裏面の読取画像の出力サンプルに基づいて、表面と裏面との画質調整パラメータを設定する第１のパラメータ設定手段と、設定された表面の画質調整パラメータと、裏面の画質調整パラメータとの誤差を算出する算出手段と、算出手段で誤差が算出された後に、原稿の表面の読取画像の出力サンプル、および原稿の裏面の読取画像の出力サンプルのいずれか一方を出力する第２の出力手段と、第２の出力手段で出力された出力サンプルに基づいて、原稿の表面および裏面のいずれか一方の画質調整パラメータを設定する第２のパラメータ設定手段と、第２のパラメータ設定手段で設定された画質調整パラメータ、および算出手段で算出された誤差に基づいて、原稿の表面および裏面のいずれか他方の画質調整パラメータを設定する第３のパラメータ設定手段とを備える。
【００１３】
好ましくは第２の出力手段は、原稿の表面の読取画像の出力サンプルを出力し、一方の画質調整パラメータは、表面の画質調整パラメータであり、他方の画質調整パラメータは、裏面の画質調整パラメータである。
【００１４】
好ましくは第３のパラメータ設定手段は、他方の画質調整パラメータが所定範囲を超える場合には、固定値を設定する。
【００１５】
好ましくは第３のパラメータ設定手段は、他方の画質調整パラメータが所定範囲を超える場合には、原稿の表面の読取画像の出力サンプル、および原稿の裏面の読取画像の出力サンプルのいずれか他方を出力する第３の出力手段を含み、第３の出力手段で出力された出力サンプルに基づいて、原稿の表面および裏面のいずれか他方の画質調整パラメータを設定する。
【００１６】
この発明の他の局面に従うと、原稿の両面を読取ることができる画像読取装置の制御方法は、原稿の表面の読取画像の出力サンプル、および原稿の裏面の読取画像の出力サンプルを出力する第１の出力ステップと、出力された原稿の表面の読取画像の出力サンプル、および原稿の裏面の読取画像の出力サンプルに基づいて、表面と裏面との画質調整パラメータを設定する第１のパラメータ設定ステップと、設定された表面の画質調整パラメータと、裏面の画質調整パラメータとの誤差を算出する算出ステップと、算出ステップで誤差が算出された後に、原稿の表面の読取画像の出力サンプル、および原稿の裏面の読取画像の出力サンプルのいずれか一方を出力する第２の出力ステップと、第２の出力ステップで出力された出力サンプルに基づいて、原稿の表面および裏面のいずれか一方の画質調整パラメータを設定する第２のパラメータ設定ステップと、第２のパラメータ設定ステップで設定された画質調整パラメータ、および算出ステップで算出された誤差に基づいて、原稿の表面および裏面のいずれか他方の画質調整パラメータを設定する第３のパラメータ設定ステップとを備える。
【００１７】
この発明のさらに他の局面に従うと、原稿の両面を読取ることができる画像読取装置の制御プログラムは、原稿の表面の読取画像の出力サンプル、および原稿の裏面の読取画像の出力サンプルを出力する第１の出力ステップと、出力された原稿の表面の読取画像の出力サンプル、および原稿の裏面の読取画像の出力サンプルに基づいて、表面と裏面との画質調整パラメータを設定する第１のパラメータ設定ステップと、設定された表面の画質調整パラメータと、裏面の画質調整パラメータとの誤差を算出する算出ステップと、算出ステップで誤差が算出された後に、原稿の表面の読取画像の出力サンプル、および原稿の裏面の読取画像の出力サンプルのいずれか一方を出力する第２の出力ステップと、第２の出力ステップで出力された出力サンプルに基づいて、原稿の表面および裏面のいずれか一方の画質調整パラメータを設定する第２のパラメータ設定ステップと、第２のパラメータ設定ステップで設定された画質調整パラメータ、および算出ステップで算出された誤差に基づいて、原稿の表面および裏面のいずれか他方の画質調整パラメータを設定する第３のパラメータ設定ステップとをコンピュータに実行させる。
【発明の効果】
【００１８】
これらの発明に従うと、両面原稿の表面と裏面とを読込むことが可能な画像読取装置において、画質調整パラメータの設定を簡単に行なうことができる画像読取装置、画像読取装置の制御方法、および画像読取装置の制御プログラムを提供することが可能となる。
【発明を実施するための最良の形態】
【００１９】
［第１の実施の形態］
【００２０】
以下、本発明の第１の実施の形態における画像読取装置について説明する。
【００２１】
画像読取装置は、画像形成装置に搭載されることもできるし、スキャナとして単体で動作することもできる。
【００２２】
画像読取装置を備えた画像形成装置は、同時に両面原稿の表面および裏面を読取ることが可能な読取部と、原稿の表と裏とで別々の画質調整パラメータを設定することができる設定部と、原稿の表と裏とで別々の画質調整パラメータに応じた画像処理を実施する画像処理部と、画像処理部で設定されたデータに基づいて画像を形成する画像形成部とを備える。
【００２３】
図１は、第１の実施の形態における画像形成装置の概観を示す図である。
【００２４】
図を参照して画像形成装置は、原稿両面の画像を読取ることができる画像読取部（スキャナ）１と、画質調整パラメータを用いた画像調整を行なう画像処理部３と、用紙の両面に画像を形成することができる画像形成部５と、用紙をストックする給紙部７と、プリント済みの用紙に後処理を行なう排紙部９とを備えている。
【００２５】
図２は、図１の画像読取部（スキャナ）１の構成を示す図である。
【００２６】
画像読取部（スキャナ）１は、シートスルータイプの自動原稿送り装置、および画像読込装置を備えている。
【００２７】
給紙トレイ２００に積載された原稿は、給紙ローラー２２０で給紙され、分離ローラー２２１、および読取り前ローラー２０１で読取り位置へ搬送される。
【００２８】
第１読取りユニット１０３は、第１読取り位置を通過する原稿を露光装置２０６，２０８で露光し、プラテンガラス２０５、ミラー２０９、およびレンズ２１１を通して、ＣＣＤ２１３において原稿のＲＧＢデータを取得する。これによって、画像データが生成される。
【００２９】
第１読取り位置を通過した原稿は、第２読取り位置へ搬送される。第２読取り位置を通過する原稿は、第２読取りユニットであるＣＩＳ（接触型イメージセンサ）３２０によって読取られる。これにより、第１読取りユニットの読取る面とは逆側の原稿画像が読取られ、画像データが生成される。
【００３０】
第２読取り位置を通過した原稿は、読取り後ローラー２０２によって搬送され、排出積載トレイ２２２へ排出される。
【００３１】
このように画像を読取ることにより、１回の通紙で原稿の両面の画像を同時に読取ることができる。ここで、第１読取り位置においては、原稿は搬送ガイド部材によって、プラテンガラス２０５とは非接触で搬送できるよう案内される。また、読取り後ローラー２０２は、読取り前ローラー２０１よりも若干その回転速度を速くすることで、原稿が引っ張られるようにしている。これにより、原稿のたるみによる、原稿とプラテンガラスとの接触を防止することができる。
【００３２】
読取位置のプラテンガラス２０５上に紙粉や粘着物などの異物があると、それが読取り位置に留まり、原稿の搬送方向に色筋ノイズとして現れる。主に原稿とプラテンガラスとの接触によって、紙粉や粘着物は、プラテンガラス上に供給される。上記のように、原稿をプラテンガラスに接触させないことによって、異物を供給させないようにしている。
【００３３】
また、図示しないが、自動原稿搬送装置の給紙トレイ２００には、給紙時の原稿の傾きを防止するためのガイド部材がある。そのガイド部材に連結された位置検出センサと、給紙トレイ２００の搬送方向に設けられた複数の原稿検出部材との組み合わせにより、給紙トレイ２００上の原稿のサイズが判別可能となっている。
【００３４】
さらに、通紙経路上には、原稿厚さ検出センサ３０４が配置されている。このセンサにより、給紙された原稿の厚さが判定され、原稿厚さが所定値以下かどうかを判別可能としている。原稿厚さ検出センサ３０４としては、透過光を用いるものや超音波を用いるものなど、各種の方式が提案されている。原稿の厚さ判定結果に基づいて、原稿の透過性あり／なしの判断が行なわれる。
【００３５】
図３は、画像形成装置の機能構成を示すブロック図である。
【００３６】
図を参照して画像形成装置は、スキャナ画像処理ＡＳＩＣ３０１と、スキャナ画像処理ＡＳＩＣ３０３と、コントローラＡＳＩＣ３０５と、プリンタ画像処理ＡＳＩＣ３０７とを備える。
【００３７】
スキャナ画像処理ＡＳＩＣ３０１は、シェーディング補正部３０１ａと、ライン間補正部３０１ｂと、色収差補正部３０１ｃとを備える。
【００３８】
スキャナ画像処理ＡＳＩＣ３０３は、解像度変換部３０３ａと、下地飛ばし処理部３０３ｂと、領域判別部３０３ｃと、ＲＧＢ→ＹＭＣＫ変換部３０３ｄと、文字エッジ補正部３０３ｅと、誤差拡散処理部３０３ｆとを備える。
【００３９】
コントローラＡＳＩＣ３０５は、圧縮・伸張処理部３０５ａを備える。
【００４０】
プリンタ画像処理ＡＳＩＣ３０７は、画質調整パラメータＰを入力してその値に基づき画像補正を行なう画像補正部３０７ａと、セキュリティ地紋を打ち込む処理を実行するイメージ合成部３０７ｂと、スクリーン処理部３０７ｃと、ＰＣ間遅延制御部３０７ｄと、ＰＷＭ制御と同期制御を行なうＩＣ３０７ｅとを備える。
【００４１】
センサで読取られたＲＧＢの画像データは、最初に、スキャナ画像処理ＡＳＩＣ３０１にてシェーディング補正、ライン間補正、および色収差補正が行なわれる。その後、スキャナ画像処理ＡＳＩＣ３０３では、主に、ＲＧＢ画像データをＣＭＹＫデータに変換する処理が行なわれる。
【００４２】
次に、スキャナ画像処理ＡＳＩＣ３０３で処理されたＹＭＣＫデータには、コントローラＡＳＩＣ３０５にて圧縮・伸張処理が行なわれる。その後、プリンタ画像処理ＡＳＩＣ３０７にて、主に画像補正が行なわれ、データは印字用画像データに変換される。ここでは、画質モニターを用いて得られた画質調整パラメータＰを設定して画質調整が行なわれる
【００４３】
図４は、画質モニターのサンプルを示す図である。
【００４４】
図４（ａ）は表面の画質モニターの出力を示しており、図４（ｂ）は裏面の画質モニターの出力を示している。
【００４５】
画質モニターは、表面と裏面とのそれぞれにおいての画質調整パラメータを設定するための複数のサンプル出力を含む。画質モニターは、スキャナで読取られた原稿の表面（または裏面）の画像を、画質調整パラメータを変えて様々な濃度のサンプルとし、それらを１枚の用紙に並べて印字したものである。ユーザは印字された複数の画像の中から、最も好ましいものを選択する。これにより、その画像に対応する画質調整パラメータが装置に設定される。
【００４６】
図４においては、表面、裏面ともに、Ａ３サイズの用紙に画質調整Ｎｏ．１〜画質調整Ｎｏ．７の７種類の画質が調整されたサンプルが縮小連写されて印字されている。デフォルトは画質調整Ｎｏ．４に対応する画質調整パラメータである。ここではデフォルトを中心として、濃い方に３段階、薄い方に３段階の濃度サンプルが印刷されている。
【００４７】
通常、ユーザは表面と裏面とでそれぞれ好ましいサンプルを選び、それを装置に入力する。これにより、表と裏とでそれぞれ画質調整パラメータが設定される。
【００４８】
図５は、画質モニターによる画質の調整方法を示す図である。
【００４９】
図の左に画質モニターによる調整前の画像の具体例が表面（ａ）、裏面（ｂ）として表わされている。これは、デフォルトの状態での画像出力を示しており、表面、裏面とも黒っぽい画像となっている状態を示している。
【００５０】
画質モニターを使って、表面で画質調整Ｎｏ．２が、裏面で画質調整Ｎｏ．１がユーザにより選択されたものとする。裏面の下地は、表面の下地に比べてかぶり気味になっている。表面では、画質調整Ｎｏ．２を選択することで下地が飛び、裏面では画質調整Ｎｏ．１を選択することで下地が飛ぶものである。
【００５１】
これらの選択された番号をもとに、画質調整パラメータ、およびパラメータ誤差量が算出される。
【００５２】
画質調整Ｎｏ．２では、γ（ガンマ）を×ａ１倍相当にする補正ができ、画質調整Ｎｏ．１では、γを×ａ２倍相当にする補正ができるものとする（ａ１＜ａ２）。すなわち、画質調整Ｎｏ．２に対応する画像調整パラメータは、スキャンにより得られた反射率データにａ１をかけて出力するものであり、画質調整Ｎｏ．１に対応する画像調整パラメータは、スキャンにより得られた反射率データにａ２をかけて出力するものである。
【００５３】
画質調整Ｎｏ．１に対応する画像調整パラメータは、画質調整Ｎｏ．２に対応する画像調整パラメータよりも補正の程度が大きい。
【００５４】
上述のＮｏ．１とＮｏ．２との番号が選択された場合、表面と裏面とのパラメータ補正誤差（表面の画質調整パラメータと裏面の画質調整パラメータの比）は、ａ２／ａ１となる。一度このパラメータ補正誤差が算出されたのであれば、次回からは、表面または裏面のみの画像モニターを出力し、好ましいものをユーザに選択させることで、他方の面でも好ましい画質調整パラメータを求めることができる。
【００５５】
すなわち、上述のようにａ２／ａ１の値が求められているのであれば、表面のみの画質モニターを出力し、ユーザの選択に基づき表面の画質調整パラメータが算出される。表面の画質調整パラメータにａ２／ａ１の値をかけることで、裏面の画質調整パラメータを算出することができる。
【００５６】
すなわち第２回目以降の画質モニターの出力において、裏面の画質調整Ｎｏ．としては、表面の画質調整Ｎｏ．に該当する画像調整パラメータに、パラメータ補正誤差（ａ２／ａ１）を加味した画像調整パラメータに相当する画質調整Ｎｏ．が設定される。
【００５７】
また逆に、裏面のみの画質モニターを出力し、ユーザの選択に基づき裏面の画質調整パラメータを算出してもよい。この場合、裏面の画質調整パラメータにａ１／ａ２の値をかけることで、表面の画質調整パラメータを算出することができる。
【００５８】
図６〜８は、第１の実施の形態における画像形成装置の動作を示すフローチャートである。
【００５９】
図を参照してステップＳ１０１でメインスイッチがＯＮとされた後、ステップＳ１０３で初期化を行なう。
【００６０】
ステップＳ１０５で、原稿給紙装置に原稿が設置されているかどうかを判定する。ＹＥＳとなるまで待機する。もし、原稿がセットされた場合は、ステップＳ１０７で両面の画質モニターを実行するかどうかを判定する。
【００６１】
両面画質モニターを実行する場合、ステップＳ１５１で画質モニター実行フラグをＯＮにした後、ステップＳ１５３で両面画質モニターが電源投入後、初めて行われるかどうかを判定する。初めて行われる場合は、表面、裏面ともマニュアルで画質モニター番号を選択する必要があるため、ステップＳ１５５でマニュアル裏面画質モニターフラグをＯＮとする。初めてでない場合は、ステップＳ１５７で、最初の両面画質モニターで設定された表面と裏面の設定パラメータの誤差分を、表面のパラメータに加味することで裏面のパラメータの自動設定を行なうフラグ（自動裏面画質モニターフラグ）をＯＮにする。
【００６２】
次に、スタートキーが押されたかどうかを判定する。
【００６３】
ステップＳ１０９でスタートキーが押された場合、ステップＳ１１１で原稿の両面の画像を読取り、ステップＳ１１３で両面読取りでの画像データをメモリに記憶させる。
【００６４】
次に、ステップＳ１１５で画質モニター実行フラグ（Ｓ１５１）がＯＮかどうかを判定する。ＯＮでなかった場合は、ステップＳ１１７で、次に原稿があるかどうかを判定し、次原稿がある場合は、ステップＳ１１１に戻って再度読取りを行ない、次原稿が無かった場合は、ステップＳ１１９で両面画像データを印字して終了する。
【００６５】
画質モニター実行フラグがＯＮであった場合は、ステップＳ１２１で、マニュアル裏面画質モニターフラグがＯＮかどうか判定する。ＯＮであった場合は、ステップＳ１２３で、表面画質モニターを作成するかどうかを選定する。
【００６６】
表面画質モニターの作成を選定した場合は、ステップＳ１２５で表面画質モニターを印字する。ステップＳ１２７で、表面画質モニターの番号が選択されたか判定し、選択が終われば次に進む。
【００６７】
一方、裏面画質モニターの作成を選定した場合は、ステップＳ１３７で裏面画質モニターを印字する。ステップＳ１３９で、裏面画質モニターの番号が選択されたか判定し、選択が終われば次に進む。
【００６８】
ステップＳ１２９で、表面、裏面とも画質モニターの番号を選定し終わったかどうかを判定し、選択し終ったら、ステップＳ１３１で表面、裏面の両者の画質モニターの番号から、表面と裏面のパラメータの誤差を算出する。
【００６９】
その後、ステップＳ１３５で、表面裏面の両者の画質モニターの番号から、表面裏面の両者の画像調整パラメータが算出され、両面の画質を補正する処理が行なわれる。
【００７０】
ステップＳ１２１で、マニュアル裏面画質モニターフラグがＯＦＦの場合は、ステップＳ１４１で表面のみ画質モニターを印字する。ステップＳ１４３で、表面画質モニターの番号を選択し終わったかどうかを判定する。選択し終わった場合は、ステップＳ１４５で裏面の画質モニターの番号を、表面画質モニターの番号（表面のパラメータ）に表面と裏面のパラメータ誤差を加味して自動選択する。その後、ステップＳ１３５へ進む。
【００７１】
このように本実施の形態では、表面のみの画質モニターを使用して、表裏両面の画質調整を行なうことが可能となる。これにより、作業効率が向上するという効果がある。
【００７２】
［第２の実施の形態］
【００７３】
本発明の第２の実施の形態における画像読取装置の構成は、第１の実施の形態におけるそれと同じであるためここでの説明を繰り返さない。
【００７４】
第２の実施の形態における画像読取装置は、初回の両面画質モニターが実行されると、パラメータ誤差量をセットする。その後に、両面画質モニターを実行する時、パラメータ誤差量を加味して画像調整パラメータを算出する。算出される画像調整パラメータが所定範囲を超える場合、その画像調整パラメータとしては、固定値をセットする。
【００７５】
図９は、第２の実施の形態における画像読取装置が実行する処理を示すフローチャートである。
【００７６】
このフローチャートは、図８のフローチャートに代えて実行される。
【００７７】
ステップＳ２２１〜Ｓ２３９での処理は、図８のステップＳ１２１〜Ｓ１３９での処理と同じであるためここでの説明を繰り返さない。
【００７８】
ステップＳ２２１でＮＯであれば、ステップＳ２４１において表面のみ画質モニターを印字する。ステップＳ２４３で、表面画質モニターの番号を選択し終わったかどうかを判定する。選択し終わった場合は、ステップＳ２４５で、表面画質モニターの番号にパラメータ誤差を加味して自動選択する裏面の画質モニターの番号が、上下限値を超えるか判定する。ＮＯであれば、ステップＳ２４７で、裏面の画質モニターの番号を、表面画質モニターの番号に表面と裏面のパラメータ誤差を加味して自動選択する。その後、ステップＳ２３５へ進む。
【００７９】
ステップＳ２４５でＹＥＳであれば、裏面の画質モニターの番号を、上限値または下限値とする。
【００８０】
なお、ステップＳ２４５では、表面の画質パラメータにパラメータ誤差を加味した裏面の画質パラメータが、上下限値を超えるか判定するようにしてもよい。
【００８１】
本実施の形態によると、第１の実施の形態における効果に加えて、限度を超えた画像調整パラメータが設定されることを防ぐことができるという効果がある。
【００８２】
［第３の実施の形態］
【００８３】
本発明の第３の実施の形態における画像読取装置の構成は、第１の実施の形態におけるそれと同じであるためここでの説明を繰り返さない。
【００８４】
第３の実施の形態における画像読取装置は、初回の両面画質モニターが実行されると、パラメータ誤差量をセットする。その後に、両面画質モニターを実行する時、パラメータ誤差量を加味して画像調整パラメータを算出する。算出される画像調整パラメータが所定範囲を超える場合、その画像調整パラメータを再度求めるために画質モニターの印字を行なう。
【００８５】
図１０は、第３の実施の形態における画像読取装置が実行する処理を示すフローチャートである。
【００８６】
このフローチャートは、図８のフローチャートに代えて実行される。
【００８７】
ステップＳ３２１〜Ｓ３３９での処理は、図８のステップＳ１２１〜Ｓ１３９での処理と同じであるためここでの説明を繰り返さない。
【００８８】
ステップＳ３２１でＮＯであれば、ステップＳ３４１において表面のみ画質モニターを印字する。ステップＳ３４３で、表面画質モニターの番号を選択し終わったかどうかを判定する。選択し終わった場合は、ステップＳ３４５で、表面画質モニターの番号にパラメータ誤差を加味して自動選択する裏面の画質モニターの番号が上下限値を超えるか判定する。ＮＯであれば、ステップＳ３４７で、裏面の画質モニターの番号を、表面画質モニターの番号に表面と裏面のパラメータ誤差を加味して自動選択する。その後、ステップＳ３３５へ進む。
【００８９】
ステップＳ３４５でＹＥＳであれば、ステップＳ３４９で裏面の画質モニターを印字する。ステップＳ３５１で、裏面画質モニターの番号を選択し終わったかどうかを判定する。選択し終わった場合は、ステップＳ３３５へ進む。
【００９０】
なお、ステップＳ３４５では、表面の画質パラメータにパラメータ誤差を加味した裏面の画質パラメータが、上下限値を超えるか判定するようにしてもよい。
【００９１】
本実施の形態によると、第１の実施の形態における効果に加えて、限度を超えた画像調整パラメータが設定されることを防ぐことができ、正確な画質調整を行なうことができるという効果がある。
【００９２】
［実施の形態における効果］
【００９３】
以上のように、上述の実施の形態によると、１パス両面読取りスキャナ搭載のＭＦＰにおいて、画質モニターを使用しての表裏両面の画質調整の作業効率を向上させることができる。
【００９４】
すなわち、表面と裏面とでセンサの読取り特性が異なる場合に、表裏両面の画質調整を行なうときにも、表面のみを画質モニターを使用して画質調整する場合と同等の作業時間となり、作業効率が向上する。
【００９５】
［その他］
【００９６】
なお、上述の実施の形態においては、表面の画像モニターに基づいて裏面の画像を調整することとしたが、裏面の画像モニターに基づいて表面の画像を調整することとしてもよい。
【００９７】
上述の実施の形態における処理は、ソフトウエアによって行なっても、ハードウエア回路を用いて行なってもよい。
【００９８】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００９９】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】第１の実施の形態における画像形成装置の概観を示す図である。
【図２】図１の画像読取部（スキャナ）１の構成を示す図である。
【図３】画像形成装置の機能構成を示すブロック図である。
【図４】画質モニターのサンプルを示す図である。
【図５】画質モニターによる画質の調整方法を示す図である。
【図６】第１の実施の形態における画像形成装置の動作を示すフローチャートである。
【図７】図６に続くフローチャートである。
【図８】図７に続くフローチャートである。
【図９】第２の実施の形態における画像読取装置が実行する処理を示すフローチャートである。
【図１０】第３の実施の形態における画像読取装置が実行する処理を示すフローチャートである。
【符号の説明】
【０１０１】
１  画像読取部（スキャナ）
３  画像処理部
５  画像形成部
７  給紙部
９  排紙部
１０３  第１読取りユニット
２００  給紙トレイ
２０５  プラテンガラス
２０６，２０８  露光装置
２２０  給紙ローラー
２１３  ＣＣＤ
３０７  プリンタ画像処理ＡＳＩＣ
３０７ａ  画像補正部
３２０  ＣＩＳ
Ｐ  画質調整パラメータ
【図１】
2009170958.tif 000003
【図２】
2009170958.tif 000004
【図３】
2009170958.tif 000005
【図４】
2009170958.tif 000006
【図５】
2009170958.tif 000007
【図６】
2009170958.tif 000008
【図７】
2009170958.tif 000009
【図８】
2009170958.tif 000010
【図９】
2009170958.tif 000011
【図１０】
2009170958.tif 000012